(57)【要約】【課題】ロフト角の変更若しくは調整を行うことができるゴルフクラブを提供すること。【解決手段】ロフト角調整機構２０を備えたゴルフクラブ１０であって、シャフトＳの先端側に取り付けられたスリーブ２１と、当該スリーブ２１をシャフト挿入部１６に挿入してその底部１９にスリーブ２１を連結する連結手段２３とを含む。スリーブ２１の連結位置は、連結手段２３を構成するボルト３３の位置を、底部１９に設けられた前後方向に延びるスロット孔１９Ａに沿って移動させることで調整でき、これにより、シャフトＳとフェース面１４とでなすロフト角θが調整可能となっている。【選択図】図２
2014136063.tif 000002
【特許請求の範囲】
【請求項１】
シャフトと、当該シャフトの先端側を受容するシャフト挿入部とを備えたヘッドと、前記シャフトとシャフト挿入部との間に設けられたロフト角調整機構とを含むゴルフクラブであって、
前記ロフト角調整機構は、前記シャフトの先端側に取り付けられて前記シャフト挿入部内に挿入されるスリーブと、前記シャフト挿入部の底部側とスリーブとを連結する連結手段とを含み、
前記スリーブの連結位置を、前記ヘッドのフェース面を通過する前後方向に沿って変位可能に設けることでロフト角が調整可能に設けられていることを特徴とするゴルフクラブ。
【請求項２】
前記連結手段は、前記シャフト挿入部の底部前後方向に延びるスロット孔を通って前記スリーブの先端にねじ込み可能なボルトを含み、
前記スロット孔内のボルト位置を前後方向にずらすことによってロフト角が調整可能に設けられていることを特徴とする請求項１記載のゴルフクラブ。
【請求項３】
前記ボルトとシャフト挿入部底部との間に介装されて前後方向に向けられたフェース角維持部材を更に含み、当該フェース角維持部材は、前記ヘッドのソール面から突出して接地するように設けられていることを特徴とする請求項１又は２記載のゴルフクラブ。
【請求項４】
前記フェース角維持部材は、接地面側が前記シャフトに直交する面内に位置することを特徴とする請求項３記載のゴルフクラブ。
【発明の詳細な説明】
【技術分野】
【０００１】
本発明はゴルフクラブに係り、更に詳しくは、ゴルフクラブヘッドのロフト角を調整することができるゴルフクラブに関する。
【背景技術】
【０００２】
ゴルフクラブヘッドのロフト角は、シャフトの中心線を含む垂直平面とフェース面のなす角度とされ、当該ロフト角はボールの打ち出し角や、バックスピン量を変化させる要素となる。具体的には、ロフト角が大きくなると打ち出し角が大きくなってボールが高く上がるとともにバックスピン量も大きくなる。この一方、ロフト角が小さくなれば、打ち出し角が小さくなって低い弾道となり、ボールのバックスピン量も少なくなる。従って、ロフト角は飛距離に影響を与える要素となる。
ゴルフクラブヘッドのロフト角調整に関しては、例えば、特許文献１、２に記載された構成が知られている。
【先行技術文献】
【特許文献】
【０００３】
【特許文献１】特開２００９−２９１６０２号公報
【特許文献２】特許第４５５４５３２号公報
【発明の開示】
【発明が解決しようとする課題】
【０００４】
特許文献１に記載されたゴルフクラブは、ロフト角を変更すると、アドレス時にフェース角が変わってしまうという不都合がある。具体的には、ロフト角を小さくするとフェース角が開き、ロフト角を大きくするとフェース角が閉じてしまうものとなっている。従って、フェース角が開いたときにスライスボールが出やすくなる一方で、フェース角が閉じたときはフックボールが出やすくなり、真っ直ぐにボールを打ち出そうとした場合の安定性を妨げることになる。
また、特許文献２に記載されたものは、パターに限定されたものであり、パター以外のゴルフクラブに適用した場合の打撃時の強度を維持することができず、衝撃に耐えられない他、特許文献１と同様にフェース角も変わってしまう、という不都合がある。
【０００５】
本発明の目的は、ロフト角を調整の対象とし、当該ロフト角を変化させた場合であってもフェース向きに影響を与えることがなく、また、強度的にも信頼性を付与することのできるゴルフクラブを提供することにある。
【課題を解決するための手段】
【０００６】
前記目的を達成するため、本発明は、特許請求の範囲記載の構成を採用したものであり、具体的には、シャフトと、当該シャフトの先端側を受容するシャフト挿入部とを備えたヘッドと、前記シャフトとシャフト挿入部との間に設けられたロフト角調整機構とを含むゴルフクラブであって、
前記ロフト角調整機構は、前記シャフトの先端側に取り付けられて前記シャフト挿入部内に挿入されるスリーブと、前記シャフト挿入部の底部側とスリーブとを連結する連結手段とを含み、
前記スリーブの連結位置を、前記ヘッドのフェース面を通過する前後方向に沿って変位可能に設けることでロフト角が調整可能に設けられる、という構成を採っている。
【０００７】
本発明において、前記連結手段は、前記シャフト挿入部の底部前後方向に延びるスロット孔を通って前記スリーブの先端にねじ込み可能なボルトを含み、
前記スロット孔内のボルト位置を前後方向にずらすことによってロフト角が調整可能に設けられる、という構成を採ることができる。
【０００８】
また、前記ボルトとシャフト挿入部底部との間に介装されて前後方向に向けられたフェース角維持部材を更に含み、当該フェース角維持部材は、前記ヘッドのソール面から突出して接地する、という構成を採ることが好ましい。
【０００９】
更に、前記フェース角維持部材は、接地面側が前記シャフトに直交する面内に位置する、という構成を採っている。
【発明の効果】
【００１０】
本発明によれば、シャフトの先端側に取り付けられるスリーブをシャフト挿入部の底部に対して前後方向に変位させるだけでスリーブがシャフト挿入部内で傾斜することとなる。従って、スリーブに先端が固定されたシャフトの中心線が前後方向に傾いて初期のロフト角が変更されることとなる。
また、ボルトがスロット孔を通ってスリーブの先端にねじ込む構成では、スロット孔内におけるボルト位置を変更するだけでロフト角の調整ができるとともに、利用者のニーズに応じて微細なロフト角の調整を実現することができる。
また、本発明は、シャフトに一体化されるスリーブをシャフト挿入部内で固定する構成であるため、強度も十分に確保でき、打撃した際の衝撃に十分に耐え得る耐久性を付与することができる。
更に、ロフト角の調整でソール面の後部側が浮き上がっても、フェース角維持部材が接地するように構成されているので、アドレス時にヘッドが平面内で回転してしまうような不都合はなく、設計されたフェース角を維持することができる。
【図面の簡単な説明】
【００１１】
【図１】本実施形態に係るゴルフクラブをフェース面側から見た概略正面図。
【図２】前記ゴルフクラブの要部概略断面図
【図３】ゴルフクラブヘッドをソール面側から見た底面図。
【図４】ロフト角を変更した状態を示す概略断面図。
【図５】前記ゴルフクラブの要部分解斜視図。
【図６】フェース角維持部材の変形例を示す断面図。
【図７】他のフェース角維持部材を用いた変形例を示す断面図。
【図８】更に他のフェース角維持部材を用いた変形例を示す断面図。
【発明を実施するための形態】
【００１２】
以下、本発明が、ドライバーと称されるゴルフクラブヘッドに適用された実施形態について、図面を参照しながら説明する。
なお、本明細書において、特に明示しない限り、「先端」、「下」は、シャフトを基準として見たときに、ヘッド側について用いられ、「上」は、その反対側、すなわちグリップが取り付けられる側について用いられる。また、「前」はヘッドのフェース面側、「後」はその反対側に位置するサイド面側について用いられ、「前後方向」というときは、フェース面を通ってフェース面及びサイド面を結ぶ方向となる。
【００１３】
本実施形態におけるゴルフクラブ１０は、図１及び図２に示されるように、シャフトＳと、当該シャフトＳの先端側を受容するとともにソール面１３側に連通するシャフト挿入部１６を備えたヘッドＨと、前記シャフトＳとシャフト挿入部１６との間に設けられたロフト角調整機構２０と、ロフト角θを調整してもフェース角を一定に維持するためのフェース角維持部材５０とを備えて構成されている。
【００１４】
前記ヘッドＨは、クラウン面１１、サイド面１２、ソール面１３及びフェース面１４を備えた中空に形成されている。シャフト挿入部１６は、クラウン面１１のヒール側からソール面１３に向かって形成されており、その上端部には、図２及び図５（Ａ）に示されるように、略Ｖ字状をなす一対の切欠部１７が、ヘッドＨのトウ側とヒール側を結ぶ仮想線上であって、周方向略１８０度間隔を隔てた位置に形成されている。このシャフト挿入部１６は、上端の内周形状が円形とされる一方、下方（ソール側）に向かうに従って、前後方向の長さが図２中紙面直交方向の長さよりも相対的に長くなる末広がりの内側形状となるように形成されている。シャフト挿入部１６は、ソール面１３の一部を陥没させた凹部１３Ａのフェース面寄り部分を底部１９とし、当該底部１９には、前後方向に向けられたスロット孔１９Ａが形成されている。
【００１５】
前記ロフト角調整機構２０は、シャフトＳの先端側に取り付けられてシャフト挿入部１６内に挿入されるスリーブ２１と、ソール面１３側からシャフト挿入部１６側に挿入されて当該シャフト挿入部１６の底部１９にスリーブ２１の先端側（図２中下端側）を連結する連結手段２３とにより構成され、この連結手段２３によるスリーブ連結位置を、前後方向にずらすことでロフト角θが調整可能となっている。
【００１６】
前記スリーブ２１は、図５（Ａ）、（Ｂ）に示されるように、上端が開口した有底円筒状をなし、その先端（底部）中央に位置する縮径部２５に雌ねじ２５Ａが形成されている。スリーブ２１の基部（上部）には、下方に向かって大径化するテーパ部２６が形成され、当該テーパ部２６の下端には、略半円弧状の軌跡に沿う外周縁２８Ａを備えた一対の隆起面部２８がスリーブ２１の周方向１８０度間隔を隔てた位置に連設されている。この隆起面部２８は、シャフト挿入部１６の切欠部１７内に位置し、その外周縁が切欠部１７の形成縁に前後２個所で点接触し、これにより、スリーブ２１がフェース面１４に略直交する面内で回転可能に設けられ、シャフトＳが図２中紙面と平行な面内で回転可能となっている。
【００１７】
前記連結手段２３は、スリーブ２１の先端に形成された雌ねじ２５Ａと、これにねじ込み可能なボルト３３とにより構成されている。ホルト３３は、その軸部分がスロット孔１９Ａを貫通し、ヘッド部分がスロット孔１９Ａの形成縁に下方から係合することでスリーブ２１の連結位置が固定可能となっている。
【００１８】
前記フェース角維持部材５０は、ソール面１３の凹部１３Ａ内に位置し、ボルト３３とシャフト挿入部１６の底部１９との間に挟持される片状部材により構成されている。このフェース角維持部材５０は、凹部１３Ａ内に収まる前後長さと幅を備え、その一端側にボルト３３の挿入孔５１が形成されている。フェース角維持部材５０は、本実施形態では、前後方向の全長において略同一の板厚を有し、地面Ｇに対する接地面５０ＡはシャフトＳの中心線に対して直交するようになっている。
【００１９】
以上の構成において、本実施形態では、図２に示されるように、例えば、ソール面１３、フェース角維持部材５０の設置面５０Ａが略平行となる状態において、ボルト３３を雌ねじ２５Ａに締め付けることで、ロフト角θが一定角度に設定される。
ここで、ロフト角θを小さくしたい場合には、ボルト３３の締め付けを解除した状態で、当該ボルト３３をスロット孔１９Ａに沿って前方に移動させればよい。このとき、スリーブ２１は、一対の隆起面部２８が切欠部１７内で回転し、シャフト挿入部１６内で角度変位することとなる。同時に、フェース角維持部材５０は、上面側が凹部１３Ａに対して相対的に角度変位する（図４参照）。これは、ボルト３３を雌ねじ２５Ａに締め付けた状態で、接地面５０ＡがシャフトＳの中心線に対して直角となるように設定されているためである。これにより、接地面５０Ａが地面Ｇに平行に接する状態がヘッドＨのアドレス時姿勢となり、このとき、ロフト角θが小さく設定されたことになる。従って、相対的にバックスピン量が少ない低弾道でボールを打ち出すことができる。
【００２０】
従って、本実施形態によれば、ユーザーにおいて、スロット孔１９Ａにおけるボルト挿入位置を前後にずらし、ボルト３３をスリーブ２１側に締め付けておくことでロフト角θを変化若しくは調整することができ、利用者のニーズに応じた種々の設定を行うことが可能となる。しかも、ロフト角θを変化させることでヘッドＨのソール面１３後部が浮き上がっても、フェース角維持部材５０の接地面Ａが常に地面Ｇに接地するように設けられているので、フェース角を変わってしまうといった不都合も生じない。更に、ボルト３３はスロット孔１９Ａの任意の位置を通過し得るので、当該スロット孔１９Ａの範囲内で無段階にロフト角調整を行うことができる。
【００２１】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変更を加えることができるものである。
【００２２】
例えば、前記実施形態では、フェース角維持部材５０が長さ方向において一定の板厚に設けられた場合を図示、説明したが、本発明はこれに限定されるものではなく、図６に示されるフェース角維持部材５０を採用してもよい。このフェース角維持部材５０は、接地面５０ＡがシャフトＳの中心線に直交する状態において、反対側の上面５０Ｂが接地面５０Ａに対して傾斜し、断面形状が三角形に類似した形状に設けられたものである。このようなフェース角維持部材５０を、その傾斜角度が１度ずつ変化したものを複数用意しておき、上面５０Ｂが凹部１３の底部及びシャフト挿入部１６の底部１９に密着する姿勢でボルト３３をスリーブ２１側にねじ込めば、接地面５０ＢがシャフトＳの中心線に直交する設計となっていることから、ロフト角を１度ずつ調整することが可能となる。このような変形例によれば、フェース角維持部材５０が凹部１３内にぴったり密着する状態を担保し得るため、ロフト角θを一層強固に固定することができるという効果を得る他、フェース角維持部材５０にロフト角に関する数値等を刻印、印刷することで、利用者が何度のロフト角に設定したかを視覚的に把握することが可能となる。
【００２３】
また、フェース角維持部材５０は、図７に示されるように、ソール面１３の凹部１３Ａを段階的に深く陥没させておき、底部１９の位置を前記実施形態よりも上位に設定し、フェース角維持部材５０を肉厚に形成するとともに、スリーブ２１を短く設定する構成、或いは、図８に示されるように、段部を無くして台形類似のフェース角維持部材５０とする構成を採用し、その他の構成を、前記実施形態と略同様とするものでもよい。
これらのフェース角維持部材５０は、図示の位置が最もロフト角θが大きい初期ロフト角を設定するものであり、ボルト３３を緩めて図中右側に移動させて再び締め付け固定することで、小さいロフト角に設定できるものである。
このような変形例によれば、スリーブ２１の長さを短くすることができ、シャフトＳとの接着長さを短くして必要以上の接着を回避することができる。しかも、底部１９の位置が上位となるので、スリーブ２１を短くしても、短い長さのボルト３３で連結することができ、ねじ軸を長くしなければならない場合の折れ易さというリスクを避けることもできる。加えて、フェース角維持部材５０を厚く形成する構成としたことで、当該部材に用いる材料によって低重心設計も取りやすくなる、という効果を付加することができる。
【００２４】
また、本発明の対象クラブは、ドライバーに限定されるものではなく、フェアウェイウッドやユーティリティにも適用できる他、アイアンゴルフクラブにも適用することを妨げない。
要するに、本発明は、ゴルフクラブのロフト角が調整できる構成であれば足りる。
【符号の説明】
【００２５】
１０…ゴルフクラブ、１３…ソール面、１４…フェース面、１６…シャフト挿入部、１９…底部、１９Ａ…スロット孔、２０…ロフト角調整機構、２１…スリーブ、２３…連結手段、２５Ａ…雌ねじ（連結手段）、３３…ボルト（連結手段）、５０…フェース角維持部材、５０Ａ…接地面、Ｓ…シャフト、Ｈ…ヘッド、
【図１】
2014136063.tif 000003
【図２】
2014136063.tif 000004
【図３】
2014136063.tif 000005
【図４】
2014136063.tif 000006
【図５】
2014136063.tif 000007
【図６】
2014136063.tif 000008
【図７】
2014136063.tif 000009
【図８】
2014136063.tif 000010